(57)【要約】  ＵＥに対して設定された要素搬送波（ＣＣ）が周波数分割デュープレキシング（ＦＤＤ）ＣＣ及び時間分割デュープレキシング（ＴＤＤ）ＣＣを含む時、無線通信システムにおけるユーザ端末（ＵＥ）によりＨＡＲＱ−ＡＣＫ（Hybrid Automatic Repeat reQuest ACKnowledgment）フィードバック情報を転送する方法及び装置が提供される。前記方法は、ＵＥに対して設定されたＣＣの構成構造に基づいて、ＨＡＲＱ−ＡＣＫフィードバック情報を転送するＣＣ及びＨＡＲＱ−ＡＣＫタイミングを決定するステップ、及び決定されたＨＡＲＱ−ＡＣＫタイミングに基づいて、決定されたＣＣの物理的アップリンク制御チャンネル（ＰＵＣＣＨ）及び物理的アップリンク共有チャンネル（ＰＵＳＣＨ）にＨＡＲＱ−ＡＣＫフィードバック情報を転送するステップを含む。
2015529045.tif 000002
【特許請求の範囲】
【請求項１】
無線通信システムにおけるユーザ端末（ＵＥ）によりＨＡＲＱ−ＡＣＫ（Hybrid Automatic Repeat reQuest ACKnowledgment）フィードバック情報を転送する方法であって、前記ＵＥに対して設定された要素搬送波（ＣＣ）は周波数分割デュープレキシング（ＦＤＤ）ＣＣ及び時間分割デュープレキシング（ＴＤＤ）ＣＣを含み、前記方法は、
前記ＵＥに対して設定された前記ＣＣの構成構造（composition structure）に基づいて、前記ＨＡＲＱ−ＡＣＫフィードバック情報を転送するＣＣ及びＨＡＲＱ−ＡＣＫタイミングを決定するステップと、
前記決定されたＨＡＲＱ−ＡＣＫタイミングに基づいて、前記決定されたＣＣの物理的アップリンク制御チャンネル（ＰＵＣＣＨ）または物理的アップリンク共有チャンネル（ＰＵＳＣＨ）にＨＡＲＱ−ＡＣＫフィードバック情報を転送するステップと、
を含むことを特徴とする、方法。
【請求項２】
前記ＦＤＤ ＣＣがプライマリＣＣ（ＰＣＣ）の時、前記ＨＡＲＱ−ＡＣＫフィードバック情報を転送する前記ＣＣ及び前記ＨＡＲＱ−ＡＣＫタイミングを決定するステップは、
ＦＤＤ設定で設定された全ての第１のＣＣを第１グループに分類するステップと、
ＴＤＤ設定で設定された全ての第２のＣＣを第２グループに分類するステップと、
前記第１グループの第１のＣＣにより、ＦＤＤ ＨＡＲＱ−ＡＣＫタイミングに基づいて、前記ＰＣＣに前記第１グループのＨＡＲＱ−ＡＣＫフィードバック情報を転送するステップと、
前記第２グループの第２のＣＣにより、前記第２グループの第２のＣＣのＴＤＤアップリンク／ダウンリンク設定によって前記第２のＣＣの各々に対する前記ＨＡＲＱ−ＡＣＫタイミングを決定するステップと、
前記第２グループの第２のＣＣにより、前記決定されたＨＡＲＱ−ＡＣＫタイミングに基づいて、特定ＴＤＤ ＣＣに前記第２グループのＨＡＲＱ−ＡＣＫフィードバック情報を転送するステップと、
を含むことを特徴とする、請求項１に記載の方法。
【請求項３】
ＲＲＣシグナリングを通じて前記特定ＴＤＤ ＣＣを表示するステップをさらに含むことを特徴とする、請求項２に記載の方法。
【請求項４】
前記ＦＤＤ ＣＣがプライマリＣＣ（ＰＣＣ）の時、前記ＨＡＲＱ−ＡＣＫフィードバック情報を転送する前記ＣＣ及び前記ＨＡＲＱ−ＡＣＫタイミングを決定するステップは、
ＦＤＤ設定で設定された第１のＣＣを第３グループに分類するステップと、
ＴＤＤ設定で設定された第２のＣＣを第２グループに分類するステップと、
第１グループの全ての第１のＣＣにより、ＦＤＤ ＨＡＲＱ−ＡＣＫタイミングに従うステップと、
前記第２グループの第２のＣＣにより、前記第２グループの第２のＣＣのＴＤＤアップリンク／ダウンリンク設定に基づいて、前記第２のＣＣの各々に対するＨＡＲＱ−ＡＣＫタイミングを決定するステップと、
前記決定されたＨＡＲＱ−ＡＣＫタイミングに基づいて、前記ＰＣＣに前記第２のＣＣのＨＡＲＱ−ＡＣＫフィードバック情報を転送するステップと、
を含むことを特徴とする、請求項１に記載の方法。
【請求項５】
前記ＦＤＤ ＣＣがプライマリＣＣ（ＰＣＣ）の時、前記ＨＡＲＱ−ＡＣＫフィードバック情報を転送する前記ＣＣ及び前記ＨＡＲＱ−ＡＣＫタイミングを決定するステップは、
前記ＵＥに対して設定された全てのＣＣにより、前記ＦＤＤ ＨＡＲＱ−ＡＣＫタイミングに基づいて、前記ＰＣＣに前記ＵＥに対して設定された全てのＣＣのＨＡＲＱ−ＡＣＫフィードバック情報を転送するステップを含むことを特徴とする、請求項１に記載の方法。
【請求項６】
前記ＴＤＤ ＣＣがプライマリＣＣ（ＰＣＣ）の時、前記ＨＡＲＱ−ＡＣＫフィードバック情報を転送する前記ＣＣ及び前記ＨＡＲＱ−ＡＣＫタイミングを決定するステップは、
ＦＤＤ設定で設定された第１のＣＣを第１グループに分類するステップと、
ＴＤＤ設定で設定された第２のＣＣを第２グループに分類するステップと、
前記第１グループの第１のＣＣにより、ＦＤＤ ＨＡＲＱ−ＡＣＫタイミングに基づいて、特定ＦＤＤ ＣＣに前記第１グループのＨＡＲＱ−ＡＣＫフィードバック情報を転送するステップと、
前記第２グループの第２のＣＣにより、前記第２グループの第２のＣＣのＴＤＤアップリンク／ダウンリンク設定によって前記第２のＣＣの各々に対する前記ＨＡＲＱ−ＡＣＫタイミングを決定するステップと、
前記第２グループの第２のＣＣにより、前記決定されたＨＡＲＱ−ＡＣＫタイミングに基づいて、前記ＰＣＣに前記第２グループのＨＡＲＱ−ＡＣＫフィードバック情報を転送するステップと、
を含むことを特徴とする、請求項１に記載の方法。
【請求項７】
前記ＴＤＤ ＣＣがプライマリＣＣ（ＰＣＣ）の時、前記ＨＡＲＱ−ＡＣＫフィードバック情報を転送する前記ＣＣ及び前記ＨＡＲＱ−ＡＣＫタイミングを決定するステップは、
ＦＤＤ設定で設定された第３のＣＣを第３グループに分類するステップと、
ＴＤＤ設定で設定された第４のＣＣを第４グループに分類するステップと、
前記ＰＣＣがアップリンクサブフレームの時、前記ＦＤＤ ＨＡＲＱ−ＡＣＫタイミングに基づいて、前記ＰＣＣに前記第３グループの前記ＨＡＲＱ−ＡＣＫフィードバック情報を転送するステップと、
前記ＰＣＣがダウンリンクサブフレームの時、前記ＦＤＤ ＨＡＲＱ−ＡＣＫタイミングに基づいて、前記特定ＦＤＤ ＣＣに前記第３グループの前記ＨＡＲＱ−ＡＣＫフィードバック情報を転送するステップと、
前記第４グループの第４のＣＣにより、前記第４グループの第４のＣＣのＴＤＤアップリンク／ダウンリンク設定に基づいて、前記第４のＣＣの各々に対する前記ＨＡＲＱ−ＡＣＫタイミングを決定するステップと、
前記決定されたＨＡＲＱ−ＡＣＫタイミングに基づいて、前記ＰＣＣに前記第４グループの前記ＨＡＲＱ−ＡＣＫフィードバック情報を転送するステップと、
を含むことを特徴とする、請求項１に記載の方法。
【請求項８】
前記ＴＤＤ ＣＣがプライマリＣＣ（ＰＣＣ）の時、前記ＨＡＲＱ−ＡＣＫフィードバック情報を転送する前記ＣＣ及び前記ＨＡＲＱ−ＡＣＫタイミングを決定するステップは、
ＦＤＤ設定で設定された第１のＣＣを第１グループに分類するステップと、
ＴＤＤ設定で設定された第２のＣＣを第２グループに分類するステップと、
前記第１グループの第１のＣＣにより、前記ＰＣＣのＨＡＲＱ−ＡＣＫタイミングに基づいて、前記ＰＣＣに前記第１のＣＣのＨＡＲＱ−ＡＣＫフィードバック情報を転送するステップと、
前記第２グループの第２のＣＣにより、前記第２グループのＣＣのＴＤＤアップリンク／ダウンリンク設定に基づいて、前記第２のＣＣの各々に対するＨＡＲＱ−ＡＣＫタイミングを決定するステップと、
前記決定されたＨＡＲＱ−ＡＣＫタイミングに基づいて、前記ＰＣＣに前記第２のＣＣのＨＡＲＱ−ＡＣＫフィードバック情報を転送するステップと、
を含むことを特徴とする、請求項１に記載の方法。
【請求項９】
前記ＴＤＤ ＣＣがプライマリＣＣ（ＰＣＣ）の時、前記ＨＡＲＱ−ＡＣＫフィードバック情報を転送する前記ＣＣ及び前記ＨＡＲＱ−ＡＣＫタイミングを決定するステップは、
ＦＤＤ設定で設定された第１のＣＣを第１グループに分類するステップと、
ＴＤＤ設定で設定された第２のＣＣを第２グループに分類するステップと、
前記第２グループの第２のＣＣにより、前記第２グループの第２のＣＣのＴＤＤアップリンク／ダウンリンク設定に基づいて、前記第２のＣＣの各々に対するＨＡＲＱ−ＡＣＫタイミングを決定するステップと、
前記決定されたＨＡＲＱ−ＡＣＫタイミングに基づいて、前記ＰＣＣに前記第２グループのＨＡＲＱ−ＡＣＫフィードバック情報を転送するステップと、
前記各々のアップリンクサブフレームにより転送される前記第１グループのＨＡＲＱ−ＡＣＫフィードバック情報間のサブフレーム個数の差ができる限り小さくなるように、 転送のための前記ＰＣＣのアップリンクサブフレームの各々に前記第１グループの第１のＣＣのＨＡＲＱ−ＡＣＫフィードバック情報を分配するステップと、
を含むことを特徴とする、請求項１に記載の方法。
【請求項１０】
ＨＡＲＱ−ＡＣＫフィードバック情報の転送と該当ダウンリンクサブフレームの転送間の時間遅延ができる限り小さくなるように、転送のための前記ＰＣＣの前記アップリンクサブフレームの各々に前記第１グループのＣＣの前記ＨＡＲＱ−ＡＣＫフィードバック情報を分配するステップをさらに含むことを特徴とする、請求項９に記載の方法。
【請求項１１】
前記ＵＥに対して設定されたＣＣに対し、前記ＨＡＲＱ−ＡＣＫフィードバック情報がＰＵＳＣＨに転送され、ＰＵＳＣＨ転送はアップリンク／ダウンリンク割当インデックス（ＵＬ ＤＡＩ）を含まない物理的ダウンリンク制御チャンネル（ＰＤＣＣＨ）によりスケジューリングされる時、または前記ＰＵＳＣＨ転送が検出されたＰＤＣＣＨによりスケジューリングされない時、ＨＡＲＱ−ＡＣＫフィードバック情報が現在のアップリンクサブフレームの前記ＰＵＳＣＨに転送されるダウンリンクサブフレームの個数は前記ＣＣのバンドリングウィンドウ（bundling window）のサイズと同一であり、及び、
前記ＵＥに対して設定されたＣＣに対し、前記ＰＵＳＣＨ転送が前記ＵＬ ＤＡＩフィールドを含むＰＤＣＣＨによりスケジューリングされる時、前記ＨＡＲＱ−ＡＣＫフィードバック情報が現在のアップリンクサブフレームの前記ＰＵＳＣＨに転送される前記ダウンリンクサブフレームの個数は、前記ＣＣのバンドリングウィンドウのサイズと前記ＵＬ ＤＡＩフィールドの値との間の最小値であることを特徴とする、請求項１に記載の方法。
【請求項１２】
前記ＨＡＲＱ−ＡＣＫフィードバック情報がチャンネル選択のＰＵＣＣＨフォーマットによって転送される時、前記ＨＡＲＱ−ＡＣＫフィードバック情報はＴＤＤマッピング及びＦＤＤマッピングのうちの１つを使用することを特徴とする、請求項１に記載の方法。
【請求項１３】
無線通信システムにおけるＨＡＲＱ−ＡＣＫ（Hybrid Automatic Repeat reQuest ACKnowledgment）フィードバック情報を転送するユーザ端末（ＵＥ）であって、前記ＵＥに対して設定された要素搬送波（ＣＣ）は周波数分割デュープレキシング（ＦＤＤ）ＣＣ及び時間分割デュープレキシング（ＴＤＤ）ＣＣを含み、前記ＵＥは請求項１から１２のいずれか一項に記載の前記方法を遂行するために使われることを特徴とする、ユーザ端末。
【発明の詳細な説明】
【技術分野】
【０００１】
本発明は無線通信システム技術に関し、より詳しくは、ＨＡＲＱ−ＡＣＫ（Hybrid Automatic Repeat reQuest ACKnowledgment）フィードバック情報を転送する方法及び装置に関する。
【背景技術】
【０００２】
ＬＴＥ（Long Term Evolution）システムは、２つのデュープレキシングモード、即ち周波数分割デュープレキシング（ＦＤＤ）及び時間分割デュープレキシング（ＴＤＤ）をサポートする。
【０００３】
図１は、従来のＴＤＤシステムのフレーム構造を図示する。
図１を参照すると、各無線フレームの長さは１０ｍｓであり、各無線フレームは２つの５ｍｓ長さのハーフフレームに分かれる。各ハーフフレームは８個の０．５ｍｓ長さの時間スロット及び３個の特定フィールド（special field）、即ちダウンリンクパイロット時間スロット（ＤｗＰＴＳ）、ガード区間（ＧＰ）、及びアップリンクパイロット時間スロット（ＵｐＰＴＳ）を含む。３個の特定フィールドの全長は１ｍｓである。
【０００４】
各々のサブフレームは２つの連続した時間スロットを含む。例えば、フレームｋはスロット２ｋ及びスロット２ｋ＋１を含む。
【０００５】
ＴＤＤシステムは以下の＜表１＞に示すように、７個のＴＤＤアップリンク／ダウンリンク設定をサポートする。＜表１＞で、Ｄはダウンリンクサブフレームを表示し、Ｕはアップリンクサブフレームを表示し、Ｓは前述した３個の特定フィールドを有する特定サブフレームを表示する。
【０００６】
【表１】
2015529045.tif 000003
【０００７】
ユーザ転送率を改善するために、ＬＴＥ−Ａ（LTE-advanced）システムが提案された。ＬＴＥ−Ａでは、より高い転送率をサポートする通信システムのダウンリンク及びアップリンクを構成するより大きい帯域幅、即ちキャリアアグリゲーション（ＣＡ）を得るために多数の要素搬送波（ＣＣ）がアグリゲーションされる。例えば、１００ＭＨｚ帯域幅は５個の２０ＭＨｚ ＣＣをアグリゲーションして達成できる。ここで、各々のＣＣはセル（cell）として言及できる。
【０００８】
基地局（ＢＳ）はそのうちの１つのＣＣがプライマリＣＣ（ＰＣＣまたはＰｃｅｌｌ）であり、他のＣＣがセカンダリＣＣ（ＳＣＣまたはＳｃｅｌｌ）である複数のＣＣで動作するようにユーザ端末（ＵＥ）を設定することができる。
【０００９】
ＬＴＥ−Ａシステムでは、共にアグリゲーションされた全てのＣＣがＦＤＤ設定で設定されるか、または全てのＴＤＤ設定で設定される。
【発明の概要】
【発明が解決しようとする課題】
【００１０】
しかしながら、ユーザ転送率をより改善するために、キャリアアグリゲーションを遂行するためにＴＤＤ設定で設定されたＣＣ及びＦＤＤ設定で設定されたＣＣを効果的にサポートする方法を決定できることを希望し、ＬＴＥ−Ａに対する後続研究が遂行されている。例えば、現在、キャリアアグリゲーションがＴＤＤ設定で設定されたＣＣ及びＦＤＤ設定で設定されたＣＣを含む場合、ＵＥがＨＡＲＱ−ＡＣＫを転送するＨＡＲＱ−ＡＣＫタイミングを決定する方法はない。
【課題を解決するための手段】
【００１１】
したがって、本発明は少なくとも前述した問題点及び／又は短所を解決し、少なくとも後述する長所を提供するように設計される。
【００１２】
本発明の態様は、ＴＤＤ ＣＣ及びＦＤＤ ＣＣがアグリゲーションされる時、ＨＡＲＱ−ＡＣＫ情報転送を効果的に達成できるＨＡＲＱ−ＡＣＫフィードバック情報を転送する方法及び装置を提供するものである。
【００１３】
本発明の態様によれば、ＵＥに対して設定されたＣＣがＦＤＤ ＣＣ及びＴＤＤ ＣＣを含む時、無線通信システムにおけるＵＥによりＨＡＲＱ−ＡＣＫフィードバック情報を転送する方法が提供される。上記方法は、ＵＥに対して設定されたＣＣの構成構造（composition structure）に基づいてＨＡＲＱ−ＡＣＫフィードバック情報を転送するＣＣ及びＨＡＲＱ−ＡＣＫタイミングを決定するステップ、及び決定されたＨＡＲＱ−ＡＣＫタイミングに基づいて決定されたＣＣの物理的アップリンク制御チャンネル（ＰＵＣＣＨ）または物理的アップリンク共有チャンネル（ＰＵＳＣＨ）にＨＡＲＱ−ＡＣＫフィードバック情報を転送するステップを含む。
【００１４】
本発明の他の態様によれば、ＵＥに対して設定されたＣＣがＦＤＤ ＣＣ及びＴＤＤ ＣＣを含む時、無線通信システムにおけるＨＡＲＱ−ＡＣＫフィードバック情報を転送するＵＥが提供される。上記ＵＥは、ＵＥに対して設定されたＣＣの構成構造に基づいてＨＡＲＱ−ＡＣＫフィードバック情報を転送するＣＣ及びＨＡＲＱ−ＡＣＫタイミングを決定する制御装置、及び決定されたＨＡＲＱ−ＡＣＫタイミングに基づいて決定されたＣＣのＰＵＣＣＨまたはＰＵＳＣＨにＨＡＲＱ−ＡＣＫフィードバック情報を転送する送信機を含む。
【００１５】
本発明の特定の実施形態の上記及び他の態様、特徴、及び長所は添付図面を参照にした以後の説明からより明らかになる。
【図面の簡単な説明】
【００１６】
【図１】従来のＴＤＤシステムのフレーム構造を図示する。
【図２】本発明の一実施形態に係るＨＡＲＱ−ＡＣＫフィードバック情報を転送する方法を示すフローチャートである。
【図３】本発明の一実施形態に係るＨＡＲＱ−ＡＣＫフィードバック情報を転送するＣＣの決定及びＨＡＲＱ−ＡＣＫタイミングを図示する。
【図４】本発明の一実施形態に係るＨＡＲＱ−ＡＣＫフィードバック情報を転送するＣＣの決定及びＨＡＲＱ−ＡＣＫタイミングを図示する。
【図５】本発明の一実施形態に係るＨＡＲＱ−ＡＣＫフィードバック情報を転送するＣＣの決定及びＨＡＲＱ−ＡＣＫタイミングを図示する。
【図６】本発明の一実施形態に係るＨＡＲＱ−ＡＣＫフィードバック情報を転送するＣＣの決定及びＨＡＲＱ−ＡＣＫタイミングを図示する。
【図７】本発明の一実施形態に係るＨＡＲＱ−ＡＣＫフィードバック情報を転送するＣＣの決定及びＨＡＲＱ−ＡＣＫタイミングを図示する。
【図８】本発明の一実施形態に係るＨＡＲＱ−ＡＣＫフィードバック情報を転送するＣＣの決定及びＨＡＲＱ−ＡＣＫタイミングを図示する。
【図９】本発明の一実施形態に係るＨＡＲＱ−ＡＣＫフィードバック情報を転送するＣＣの決定及びＨＡＲＱ−ＡＣＫタイミングを図示する。
【図１０】本発明の一実施形態に係るＵＥを示すブロック図である。
【発明を実施するための形態】
【００１７】
以下、添付図面を参照して本発明の多様な実施形態を詳細に説明する。以下の説明において、詳細な設定及び構成要素のような特定の細部事項は単に本発明のこれらの実施形態の全般的な理解を助けるために提供される。したがって、本明細書に記載された実施形態の多様な変更例及び修正例は本発明の範囲及び思想から逸脱することなくなされることができるということは当業者に明らかである。また、よく知られた機能及び構成の説明は明確性及び簡潔性のために省略する。
【００１８】
ＴＤＤアップリンク／ダウンリンク設定に対し、ダウンリンクサブフレーム及びアップリンクサブフレームの比によって、ゼロ（ゼロは、アップリンクサブフレームに転送されるＨＡＲＱ−ＡＣＫフィードバック情報がないということを意味する）、少なくとも１つのダウンリンクサブフレーム内のダウンリンク転送のＨＡＲＱ−ＡＣＫフィードバック情報は、１つのアップリンクサブフレームに転送できる。ゼロ、ＨＡＲＱ−ＡＣＫフィードバック情報が同一のアップリンクサブフレームに転送されるダウンリンクサブフレームは、アップリンクサブフレームに対応する“バンドリングウィンドウ”と呼ばれる。したがって、バンドリングウィンドウに含まれるダウンリンクサブフレームの個数はバンドリングウィンドウのサイズを参照した。
【００１９】
ＴＤＤ ＣＣ及びＦＤＤ ＣＣに設定されたＣＡシステムのＵＥに対し、本明細書ではＵＥに対して設定されたＣＣは少なくとも１つのＦＤＤ ＣＣ及び少なくとも１つのＴＤＤ ＣＣを含むと仮定する。
【００２０】
図２は、本発明の一実施形態に係るＨＡＲＱ−ＡＣＫフィードバック情報を転送する方法を示すフローチャートである。
【００２１】
図２を参照すると、ステップ２０１で、ＵＥはＵＥに対して設定されたＣＣの構成構造に基づいてＨＡＲＱ−ＡＣＫフィードバック情報を転送するＣＣ及びＨＡＲＱ−ＡＣＫタイミングを決定する。
【００２２】
ステップ２０２で、ＵＥは決定されたＨＡＲＱ−ＡＣＫタイミングに基づいて決定されたＣＣのＰＵＣＣＨまたはＰＵＳＣＨにＨＡＲＱ−ＡＣＫフィードバック情報を転送する。
【００２３】
本発明の一実施形態によれば、ＵＥに対して設定されたＣＣは２つのグループ、即ちＦＤＤ設定で設定された全てのＣＣが１つのグループに分類され、ＴＤＤ設定で設定された全てのＣＣは他のグループに分類される。ＦＤＤ設定を有するグループの全てのＣＣはＦＤＤ ＨＡＲＱ−ＡＣＫタイミングに従い、上記グループの全てのＨＡＲＱ−ＡＣＫフィードバック情報はＰＣＣに転送される。ＴＤＤ設定を有するグループの各々のＣＣに対し、ＨＡＲＱ−ＡＣＫタイミングは（上記＜表１＞に示すように）グループのＣＣのＴＤＤアップリンク／ダウンリンク設定によって決定され、ＴＤＤ設定を有するグループの全てのＨＡＲＱ−ＡＣＫ情報はＴＤＤ ＣＣから決定された特定ＣＣに転送される。
【００２４】
ＴＤＤ設定を有するグループのＣＣの間にＨＡＲＱ−ＡＣＫ情報を転送するために使われるＣＣを表示するためにＲＲＣシグナリングが使用できる。上記表示されたＣＣは一般的に第２ＰＣＣとして言及される。
【００２５】
図３は、本発明の一実施形態に係るＨＡＲＱ−ＡＣＫフィードバック情報を転送するＣＣの決定及びＨＡＲＱ−ＡＣＫタイミングを図示する。図３で、基地局（ＢＳ）はＣＡ ＵＥに対して２つのＣＣ、即ちＰＣＣ及びＳＣＣを設定すると仮定する。
【００２６】
図３を参照すると、ＰＣＣはＦＤＤ設定で設定され、ＳＣＣはＴＤＤアップリンク／ダウンリンク設定２で設定される。この組み合わせにおいて、ＰＣＣはＦＤＤ ＨＡＲＱ−ＡＣＫタイミングに従い、ＰＣＣのＨＡＲＱ−ＡＣＫ情報はＰＣＣに転送される。ＳＣＣはＴＤＤアップリンク／ダウンリンク設定２のＨＡＲＱ−ＡＣＫタイミングに従い、ＳＣＣのＨＡＲＱ−ＡＣＫ情報はＳＣＣに転送される。
【００２７】
本発明の一実施形態によれば、ＵＥに対して設定されたＣＣは２つのグループに分類される。即ち、ＦＤＤ設定で設定された全てのＣＣは１つのグループに分類され、ＴＤＤ設定で設定された全てのＣＣは他のグループに分類される。ＦＤＤ設定を有するグループの全てのＣＣはＦＤＤ ＨＡＲＱ−ＡＣＫタイミングに従い、グループのＨＡＲＱ−ＡＣＫ情報はＰＣＣに転送される。ＴＤＤ設定を有するグループのＣＣはグループのＣＣのＴＤＤアップリンク／ダウンリンク設定によって各々のＣＣに対するＨＡＲＱ−ＡＣＫタイミングを決定し、ＴＤＤ設定を有するグループのＨＡＲＱ−ＡＣＫ情報はＦＤＤ ＰＣＣに転送される。
【００２８】
図４は、本発明の一実施形態に係るＨＡＲＱ−ＡＣＫフィードバック情報を転送するＣＣの決定及びＨＡＲＱ−ＡＣＫタイミングを図示する。図４で、ＢＳはＣＡ ＵＥに対して２つのＣＣ、即ちＰＣＣ及びＳＣＣを設定すると仮定する。
【００２９】
図４を参照すると、ＰＣＣはＦＤＤ設定で設定され、ＳＣＣはＴＤＤアップリンク／ダウンリンク設定２で設定される。この組み合わせにおいて、ＰＣＣはＦＤＤ ＨＡＲＱ−ＡＣＫタイミングに従い、ＰＣＣのＨＡＲＱ−ＡＣＫ情報はＰＣＣに転送される。ＳＣＣはＴＤＤアップリンク／ダウンリンク設定２のＨＡＲＱ−ＡＣＫタイミングに従い、ＳＣＣのＨＡＲＱ−ＡＣＫ情報はＦＤＤ ＰＣＣに転送される。
【００３０】
本発明の一実施形態によれば、ＵＥに対して設定された全てのＣＣはＦＤＤ ＨＡＲＱ−ＡＣＫタイミングに従い、全てのＨＡＲＱ−ＡＣＫ情報はＦＤＤ ＰＣＣに転送される。具体的に、ＦＤＤ ＣＣはＦＤＤ ＨＡＲＱ−ＡＣＫタイミングに従う。ＴＤＤ ＣＣに対し、ＴＤＤダウンリンクサブフレームのＨＡＲＱ−ＡＣＫタイミングはＴＤＤダウンリンクサブフレームと同一のサブフレームタイミングであるＦＤＤダウンリンクサブフレームのＨＡＲＱ−ＡＣＫタイミングによって決定される。全てのＣＣのＨＡＲＱ−ＡＣＫ情報はＦＤＤ ＰＣＣに転送される。この方法において、全てのＣＣのタイミングは一致し、全てのＣＣのＨＡＲＱ−ＡＣＫ情報はＰＣＣに転送される。したがって、具現化の複雑さは図３及び図４に図示された方法に比べて低い。
【００３１】
図５は、本発明の一実施形態に係るＨＡＲＱ−ＡＣＫフィードバック情報を転送するＣＣの決定及びＨＡＲＱ−ＡＣＫタイミングを図示する。図５で、ＢＳはＣＡ ＵＥに対して２つのＣＣ、即ちＰＣＣ及びＳＣＣを設定すると仮定する。
【００３２】
図５を参照すると、ＰＣＣはＦＤＤ設定で設定され、ＳＣＣはＴＤＤアップリンク／ダウンリンク設定２で設定される。この組み合わせにおいて、ＰＣＣはＦＤＤ ＨＡＲＱ−ＡＣＫタイミングに従い、ＰＣＣのＨＡＲＱ−ＡＣＫ情報はＰＣＣに転送される。ＳＣＣはＦＤＤ ＨＡＲＱ−ＡＣＫタイミングに従い、ＳＣＣのＨＡＲＱ−ＡＣＫ情報はＰＣＣに転送される。
【００３３】
本発明の一実施形態によれば、ＵＥに対して設定されたＣＣは２つのグループに分類される。即ち、ＦＤＤ設定で設定された全てのＣＣは１つのグループに分類され、ＴＤＤ設定で設定された全てのＣＣは他のグループに分類される。ＦＤＤ設定を有するグループの全てのＣＣはＦＤＤ ＨＡＲＱ−ＡＣＫタイミングに従い、グループのＨＡＲＱ−ＡＣＫ情報は特定のＦＤＤ ＰＣＣに転送される。ＴＤＤ設定を有するグループの各々のＣＣに対し、ＨＡＲＱ−ＡＣＫタイミングはグループのＣＣのＴＤＤアップリンク／ダウンリンク設定によって決定され、ＴＤＤ設定を有するグループのＨＡＲＱ−ＡＣＫ情報はＰＣＣに転送される。
【００３４】
図６は、本発明の一実施形態に係るＨＡＲＱ−ＡＣＫフィードバック情報を転送するＣＣの決定及びＨＡＲＱ−ＡＣＫタイミングを図示する。図６で、ＢＳはＣＡ ＵＥに対して２つのＣＣ、即ちＰＣＣ及びＳＣＣを設定すると仮定する。
【００３５】
図６を参照すると、ＰＣＣはＴＤＤアップリンク／ダウンリンク設定２で設定され、ＳＣＣはＦＤＤ設定で設定される。この組み合わせにおいて、ＰＣＣはＴＤＤアップリンク／ダウンリンク設定２のＨＡＲＱ−ＡＣＫタイミングに従い、ＰＣＣのＨＡＲＱ−ＡＣＫ情報はＰＣＣに転送される。ＳＣＣはＦＤＤ ＨＡＲＱ−ＡＣＫタイミング相関関係に従い、ＳＣＣのＨＡＲＱ−ＡＣＫ情報はＳＣＣに転送される。
【００３６】
本発明の一実施形態によれば、ＵＥに対して設定されたＣＣは２つのグループに分類される。即ち、ＦＤＤ設定で設定された全てのＣＣは１つのグループに分類され、ＴＤＤ設定で設定された全てのＣＣは他のグループに分類される。ＦＤＤ設定を有するグループの全てのＣＣはＦＤＤ ＨＡＲＱ−ＡＣＫタイミングに従う。ＰＣＣがアップリンクサブフレームの場合、ＦＤＤ設定を有するグループのＨＡＲＱ−ＡＣＫ情報はＰＣＣに転送される。ＰＣＣがダウンリンクサブフレームの場合、ＦＤＤ設定を有するグループのＨＡＲＱ−ＡＣＫ情報は特定のＦＤＤ ＣＣに転送される。ＴＤＤ設定を有するグループの各々のＣＣに対し、ＨＡＲＱ−ＡＣＫタイミングはグループのＣＣのＴＤＤアップリンク／ダウンリンク設定によって決定され、ＴＤＤ設定を有するグループのＨＡＲＱ−ＡＣＫ情報はＰＣＣに転送される。前述したように、各々のＣＣのＨＡＲＱ−ＡＣＫ情報はできる限りＰＣＣを介して転送され、したがって、以前のＨＡＲＱ−ＡＣＫ転送モードと一致する。ＰＣＣがダウンリンクサブフレームであり、ＨＡＲＱ−ＡＣＫ情報を転送できない場合、ＨＡＲＱ−ＡＣＫ情報はＦＤＤ ＣＣを介して転送される。
【００３７】
また、ＦＤＤ設定を有するグループのＣＣの間にＨＡＲＱ−ＡＣＫ情報を転送するために使われるＣＣを表示するためにＲＲＣシグナリングが使用できる。表示されたＣＣは第２のＰＣＣと呼ばれる。
【００３８】
図７は、本発明の一実施形態に係るＨＡＲＱ−ＡＣＫフィードバック情報を転送するＣＣの決定及びＨＡＲＱ−ＡＣＫタイミングを図示する。図７で、ＢＳはＣＡ ＵＥに対して２つのＣＣ、即ちＰＣＣ及びＳＣＣを設定すると仮定する。
【００３９】
図７を参照すると、ＰＣＣはＴＤＤアップリンク／ダウンリンク設定２で設定され、ＳＣＣはＦＤＤ設定で設定される。この組み合わせにおいて、ＰＣＣはＴＤＤアップリンク／ダウンリンク設定２のＨＡＲＱ−ＡＣＫタイミングに従い、ＰＣＣのＨＡＲＱ−ＡＣＫ情報はＰＣＣに転送される。ＳＣＣはＦＤＤ ＨＡＲＱ−ＡＣＫタイミングに従い、ＳＣＣのＨＡＲＱ−ＡＣＫ情報はサブフレーム２またはサブフレーム７のＰＣＣに転送され、ＳＣＣのＨＡＲＱ−ＡＣＫ情報は、サブフレーム０、サブフレーム１、サブフレーム３、サブフレーム４、サブフレーム５、サブフレーム６、サブフレーム８、またはサブフレーム９のＳＣＣに転送される。
【００４０】
本発明の一実施形態によれば、ＵＥに対して設定されたＣＣは２つのグループに分類される。即ち、ＦＤＤ設定で設定された全てのＣＣは１つのグループに分類され、ＴＤＤ設定で設定された全てのＣＣは他のグループに分類される。全てのＦＤＤ ＣＣはＰＣＣのＨＡＲＱ−ＡＣＫタイミングに従う。しかしながら、ＴＤＤ設定を有するグループの各々のＣＣに対し、ＨＡＲＱ−ＡＣＫタイミングはグループのＣＣのＴＤＤアップリンク／ダウンリンク設定によって決定される。全てのＣＣのＨＡＲＱ−ＡＣＫ情報はＰＣＣに転送される。
【００４１】
具体的に、ＦＤＤ ＣＣのダウンリンクサブフレームに対し、ＰＣＣが同一のサブフレームタイミングに対するダウンリンクサブフレームの場合、ＦＤＤダウンリンクサブフレームのＨＡＲＱ−ＡＣＫタイミングは同一のサブフレームに対するＰＣＣのダウンリンクサブフレームのＨＡＲＱ−ＡＣＫタイミングによって決定される。ＦＤＤ ＣＣのダウンリンクサブフレームに対し、ＰＣＣが同一のサブフレームタイミングに対するアップリンクサブフレームの場合、ＰＣＣのＨＡＲＱ−ＡＣＫタイミングに従う同一のサブフレームにＨＡＲＱ−ＡＣＫ情報を転送するために使われる該当アップリンクサブフレームがなければ、ＦＤＤサブフレームはダウンリンクデータを転送できない。ＴＤＤ設定を有するグループの各々のＣＣに対し、ＨＡＲＱ−ＡＣＫタイミングはグループの各々のＣＣのＴＤＤアップリンク／ダウンリンク設定によって決定される。全てのＣＣのＨＡＲＱ−ＡＣＫ情報はＰＣＣに転送される。ここで、全てのＣＣのＨＡＲＱ−ＡＣＫタイミングは一致し、全てのＣＣのＨＡＲＱ−ＡＣＫはＰＣＣに転送される。したがって、具現化の複雑さは図６及び図７に図示する方法に比べて低い。しかしながら、ダウンリンクサブフレームの一部はＦＤＤ ＣＣにダウンリンクデータを転送できないことがあり、これはダウンリンクリソースの浪費をもたらすことがある。
【００４２】
図８は、本発明の一実施形態に係るＨＡＲＱ−ＡＣＫフィードバック情報を転送するＣＣの決定及びＨＡＲＱ−ＡＣＫタイミングを図示する。図８で、ＢＳはＣＡ ＵＥに対して２つのＣＣ、即ちＰＣＣ及びＳＣＣを設定すると仮定する。
【００４３】
図８を参照すると、ＰＣＣはＴＤＤアップリンク／ダウンリンク設定２で設定され、ＳＣＣはＦＤＤ設定で設定される。この組み合わせにおいて、ＰＣＣはＴＤＤアップリンク／ダウンリンク設定２のＨＡＲＱ−ＡＣＫタイミングに従い、ＰＣＣのＨＡＲＱ−ＡＣＫ情報はＰＣＣに転送される。ＳＣＣはＴＤＤアップリンク／ダウンリンク設定２のＦＤＤ ＨＡＲＱ−ＡＣＫタイミングに従い、無線フレームｎのダウンリンクサブフレーム４、ダウンリンクサブフレーム５、ダウンリンクサブフレーム６、及びダウンリンクサブフレーム８のＨＡＲＱ−ＡＣＫ情報はＰＣＣの無線フレームｎ＋１のアップリンクサブフレーム２に転送され、無線フレームｎのダウンリンクサブフレーム９のＨＡＲＱ−ＡＣＫ情報及び無線フレームｎ＋１のダウンリンクサブフレーム０、ダウンリンクサブフレーム１、及びダウンリンクサブフレーム３のＨＡＲＱ−ＡＣＫ情報は、ＰＣＣの無線フレームｎ＋１のアップリンクサブフレーム７に転送される。ＳＣＣ及び無線フレームｎのダウンリンクサブフレーム２及びダウンリンクサブフレーム７に対し、ＰＣＣのサブフレーム２及びサブフレーム７は全てのアップリンクサブフレームであり、したがって、ＳＣＣのダウンリンクサブフレーム２及びダウンリンクサブフレーム７はダウンリンクデータを転送しない。
【００４４】
本発明の一実施形態によれば、ＴＤＤ設定を有するグループの各々のＣＣに対し、ＨＡＲＱ−ＡＣＫタイミングはグループのＣＣのＴＤＤアップリンク／ダウンリンク設定によって決定され、ＰＣＣのＨＡＲＱ−ＡＣＫ情報はＰＣＣに転送される。ダウンリンクサブフレームのＨＡＲＱ−ＡＣＫ情報は、転送のためのＰＣＣのアップリンクサブフレームの各々にＦＤＤ ＣＣによりできる限り均等に分配される。即ち、ＰＣＣのアップリンクサブフレームの各々により転送されるＦＤＤ ＨＡＲＱ−ＡＣＫ情報間のサブフレーム差の個数が最小ということが保証される。
【００４５】
図９は、本発明の一実施形態に係るＨＡＲＱ−ＡＣＫフィードバック情報を転送するＣＣの決定及びＨＡＲＱ−ＡＣＫタイミングを図示する。図９で、ＦＤＤ ＣＣのＨＡＲＱ−ＡＣＫタイミングは完全に再配置されるが、ＰＣＣのアップリンクサブフレームの各々に転送されるＨＡＲＱ−ＡＣＫ情報はより平均的に分配される。ここで、より平均的ということは、１つのアップリンクサブフレームに転送されたＨＡＲＱ−ＡＣＫが全てのアップリンクサブフレームに対してできる限り均等に維持するダウンリンクサブフレームの個数を意味する。
【００４６】
図９を参照すると、ＰＣＣはＴＤＤアップリンク／ダウンリンク設定２で設定され、ＳＣＣはＦＤＤ設定で設定される。この組み合わせにおいて、ＰＣＣはＴＤＤアップリンク／ダウンリンク設定２のＨＡＲＱ−ＡＣＫタイミングに従い、ＰＣＣのＨＡＲＱ−ＡＣＫ情報はＰＣＣに転送される。ＳＣＣは新たなＨＡＲＱ−ＡＣＫタイミングに従い、したがって、ＦＤＤ ＨＡＲＱ−ＡＣＫ情報がＰＣＣのアップリンクサブフレームに転送されるダウンリンクサブフレームの個数はより平均的であり、データを処理するＵＥに対する最短期間を満たす。一般に、ダウンリンクサブフレームのＨＡＲＱ−ＡＣＫフィードバックの転送とダウンリンクサブフレームの転送との間の時間遅延が短いほど、より良好である。無線フレームｎのダウンリンクサブフレーム４、ダウンリンクサブフレーム５、ダウンリンクサブフレーム６、ダウンリンクサブフレーム７、及びダウンリンクサブフレーム８のＨＡＲＱ−ＡＣＫフィードバック情報は、ＰＣＣの無線フレームｎ＋１のアップリンクサブフレーム２に転送されることができ、無線フレームｎのダウンリンクサブフレーム９のＨＡＲＱ−ＡＣＫフィードバック情報及び無線フレームｎ＋１のダウンリンクサブフレーム０、ダウンリンクサブフレーム１、ダウンリンクサブフレーム２、及びダウンリンクサブフレーム３のＨＡＲＱ−ＡＣＫフィードバック情報は、ＰＣＣの無線フレームｎ＋１のアップリンクサブフレーム７に転送できる。
【００４７】
図３から図９に示すように、ＨＡＲＱ−ＡＣＫを転送するＣＣ及びタイミングを決定する上記方法は、ＨＡＲＱ−ＡＣＫ情報がＰＵＳＣＨまたはＰＵＣＣＨを介して伝達されるシナリオでまた適用することができる。
【００４８】
従来のシステムにおいて、ＨＡＲＱ−ＡＣＫ情報がＴＤＤ設定下でＰＵＳＣＨを介して伝達される時、ＨＡＲＱ−ＡＣＫ情報を伝達するＰＵＳＣＨが物理的ダウンリンク制御チャンネル（ＰＤＣＣＨ）を介してスケジューリングされれば、ＰＤＣＣＨは、ＰＵＳＣＨに伝達されるＨＡＲＱ−ＡＣＫ情報に該当するダウンリンクサブフレームの個数を表示するために使われるアップリンクダウンリンク割当インデックス（ＵＬ ＤＡＩ）フィールドを含む。ＨＡＲＱ−ＡＣＫ情報がＦＤＤ設定下でＰＵＳＣＨを介して伝達される時、ＨＡＲＱ−ＡＣＫ情報を伝達するアップリンクサブフレームが決定される。したがって、ＰＵＳＣＨをスケジューリングするＰＤＣＣＨはＵＬ ＤＡＩフィールドを含まない。ＴＤＤ設定及びＦＤＤ設定で同時に設定されたＣＡ ＵＥに対し、現在のアップリンクサブフレームに転送されるＨＡＲＱ−ＡＣＫフィードバック情報に該当するダウンリンクサブフレームの個数は後述する方法によって決定できる。
【００４９】
具体的に、ＨＡＲＱ−ＡＣＫ情報がＰＵＳＣＨに転送され、ＣＣに対し、ＰＵＳＣＨ転送が検出されたＰＤＣＣＨによりスケジューリングされないか、またはＰＵＳＣＨ転送がＵＬ ＤＡＩフィールドを含まないＰＤＣＣＨによりスケジューリングされる場合、ＨＡＲＱ−ＡＣＫフィードバック情報が現在のアップリンクサブフレームのＰＵＳＣＨに転送されるダウンリンクサブフレームの個数はＣＣのバンドリングウィンドウのサイズである。
【００５０】
ＰＵＳＣＨ転送がＵＬ ＤＡＩフィールドを含むＰＤＣＣＨによりスケジューリングされれば、全てのＣＣに対し、ＨＡＲＱ−ＡＣＫフィードバック情報が現在のアップリンクサブフレームのＰＵＳＣＨに転送されるダウンリンクサブフレームの個数はＵＬ ＤＡＩ及びＣＣのバンドリングウィンドウのサイズによって決定される。特に、ダウンリンクサブフレームの個数はＵＬ ＤＡＩフィールドの値とバンドリングウィンドウのサイズとの間の最小値と同一である。
【００５１】
ＣＣ ＵＥに対し、２つのＣＣ、即ちＰＣＣ及びＳＣＣを設定するＢＳに対し、ＰＣＣはＦＤＤ設定で設定されることができ、ＳＣＣはＴＤＤアップリンク／ダウンリンク設定２で設定できる。この組み合わせにおいて、ＰＣＣはＦＤＤ ＨＡＲＱ−ＡＣＫタイミングに従い、ＳＣＣはＦＤＤ ＨＡＲＱ−ＡＣＫタイミングに従うと仮定すれば、ＰＵＳＣＨはＰＣＣに転送され、ＦＤＤ ＣＣのＰＵＳＣＨをスケジューリングするＰＤＣＣＨはＵＬ ＤＡＩフィールドを含まない場合、ＦＤＤ ＣＣまたはＴＤＤ ＣＣのＨＡＲＱ−ＡＣＫ情報に該当するダウンリンクサブフレームの個数は各々のＣＣのバンドリングウィンドウのサイズと同一である。ＰＵＳＣＨはＳＣＣに転送され、ＰＤＣＣＨによりスケジューリングされ、ＴＤＤ ＣＣのＰＵＳＣＨをスケジューリングするＰＳＣＣＨはＵＬ ＤＡＩフィールドを含む場合、ＦＤＤ ＣＣのＨＡＲＱ−ＡＣＫ情報に対応するダウンリンクサブフレームの個数及びＴＤＤ ＣＣのＨＡＲＱ−ＡＣＫ情報に対応するダウンリンクサブフレームの個数は各々ｍｉｎ．｛ＵＬ ＤＡＩ、ＣＣのバンドリングウィンドウのサイズ｝と同一である。
【００５２】
また、前述したように、転送ＨＡＲＱ−ＡＣＫを転送するＣＣ及びＨＡＲＱ−ＡＣＫタイミングが決定された後、ＨＡＲＱ−ＡＣＫ情報がチャンネル選択のためのＰＵＣＣＨフォーマット１ｂによって転送される場合、以下に示すように、ＨＡＲＱ−ＡＣＫ情報をマッピングするステップは、マッピングのためのＴＤＤ表、即ち、＜表５＞、＜表６＞、または＜表７＞を使用して遂行できる。他の方法は、以下に示すように、マッピングのためのＦＤＤ表、即ち、＜表２＞、＜表３＞、または＜表４＞を使用するものである。
【００５３】
本明細書に記載された本発明の多様な実施形態は、従来のＬＴＥシステムに既に存在するチャンネル選択マッピング形態の使用に限定されず、他のチャンネル選択マッピング形態を使用することができる。
【００５４】
【表２】
2015529045.tif 000004
【００５５】
【表３】
2015529045.tif 000005
【００５６】
【表４】
2015529045.tif 000006
【００５７】
【表５】
2015529045.tif 000007
【００５８】
【表６】
2015529045.tif 000008
【００５９】
【表７】
2015529045.tif 000009
【００６０】
上記に示すように、ＣＡにＣＣがＴＤＤ設定で設定され、同時にＦＤＤ設定で設定されるＨＡＲＱ−ＡＣＫフィードバック情報を転送する時、ＨＡＲＱ−ＡＣＫフィードバック情報を転送するＣＣ及びＨＡＲＱ−ＡＣＫタイミングはＣＣの構成構造によって決定される。ＨＡＲＱ−ＡＣＫフィードバック情報は、決定されたＨＡＲＱ−ＡＣＫタイミングによって決定されたＣＣに転送される。したがって、ＣＡにＣＣがＴＤＤ設定で設定され、同時にＣＣがＦＤＤ設定で設定される時、ＨＡＲＱ−ＡＣＫ情報は効果的に転送できる。
【００６１】
図１０は、本発明の一実施形態に係るＵＥを示すブロック図である。
図１０を参照すると、ＵＥは、受信機１０００、制御装置１００２、及び送信機１００４を含む。また、ＵＥは、明確性のために本明細書に図示されていない、例えばディスプレイ、キーパッドなどの他のユニットを含むことができる。
【００６２】
受信機１０００は、信号及びデータを受信する。送信機１００４は、信号、データ、及びＨＡＲＱ−ＡＣＫフィードバック情報を転送する。制御装置１００２は、受信機１０００及び送信機１００４を制御する。
【００６３】
具体的に、制御装置１００２は、本発明の前述した実施形態に従って動作を実行する。例えば、制御装置１００２は、ＵＥに対して設定されたＣＣの構成構造に基づいて、ＨＡＲＱ−ＡＣＫフィードバック情報を転送するＣＣ及びＨＡＲＱ−ＡＣＫタイミングを決定し、決定されたＨＡＲＱ−ＡＣＫタイミングに基づいて、決定されたＣＣのＰＵＣＣＨまたはＰＵＳＣＨにＨＡＲＱ−ＡＣＫフィードバック情報を転送する送信機１００４を制御する。
【００６４】
本発明の特定の実施形態を参照して本発明を特に図示及び説明したが、請求範囲及びその等価物により定義されたように、本発明の思想及び範囲から逸脱することなく、形態及び細部事項に多様な変更がなされることができるということを当業者は理解することができる。
【符号の説明】
【００６５】
１０００  受信機
１００２  制御装置
１００４  送信機
【図１】
2015529045.tif 000010
【図２】
2015529045.tif 000011
【図３】
2015529045.tif 000012
【図４】
2015529045.tif 000013
【図５】
2015529045.tif 000014
【図６】
2015529045.tif 000015
【図７】
2015529045.tif 000016
【図８】
2015529045.tif 000017
【図９】
2015529045.tif 000018
【図１０】
2015529045.tif 000019
【国際調査報告】
2015529045.tif 000020
2015529045.tif 000021